(57)【要約】      （修正有）【課題】プッシャーの引っ込み機構を備える計時器を提供する。【解決手段】本発明は、ケース中間部６と、ケース中間部６に回転可能にマウントされたベゼル２と、及びカバー８を有しケース中間部６に対して引っ込み位置及びデプロイ位置になることができるアクチュエートメンバーとを有する計時器１に関する。カバー８には、ユーザーの指によってアクチュエートすることができる支え面があり、カバー８には、支え面とは異なる肩部があり、肩部は、円弧状のガイド面を形成しており、カバー８が引っ込み位置にあるときにベゼル２と連係するように意図されている。【選択図】図１
2018025550.tif 000002
【特許請求の範囲】
【請求項１】
ケース中間部（６）と、前記ケース中間部（６）に回転可能にマウントされたベゼル（２）と、及びカバー（８）を有し前記ケース中間部（６）に対して引っ込み位置及びデプロイ位置になることができるアクチュエートメンバー（１２）とを有する計時器（１）であって、
前記カバー（８）には、ユーザーの指によってアクチュエートすることができる支え面（１０）があり、
前記カバー（８）には、前記支え面（１０）とは異なる肩部（１１）があり、
前記肩部（１１）は、円弧状のガイド面を形成しており、前記カバー（８）が前記引っ込み位置にあるときに前記ベゼル（２）と連係するように意図されている
ことを特徴とする計時器（１）。
【請求項２】
前記支え面（１０）は、前記引っ込み位置において前記ケース中間部（６）の外側面とフラッシュ状態である
ことを特徴とする請求項１に記載の計時器（１）。
【請求項３】
前記カバー（８）の前記引っ込み位置と前記デプロイ位置の間の変位は、前記ベゼル（２）の角変位と連結しており、
前記ベゼル（２）は、その周部の一部に位置する円弧状のリム（５）を備え、前記リム（５）は、前記カバー（８）が前記引っ込み位置をなっているときに前記肩部（１１）と連係するように意図されている
ことを特徴とする請求項１又は２に記載の計時器（１）。
【請求項４】
前記リム（５）は、高々前記ケース中間部（６）のホーン（７）の高さまで前記ケース中間部（６）の外側面の一部をカバーする
ことを特徴とする請求項３に記載の計時器（１）。
【請求項５】
前記カバー（８）は、前記支え面（１０）を押すことによって前記メンバー（１２）をアクチュエートさせた後に、前記引っ込み位置とは異なる、前記カバー（８）が前記ケース中間部（６）の内側に位置する位置になる
ことを特徴とする請求項１〜４のいずれかに記載の計時器（１）。
【請求項６】
前記カバー（８）は、前記ケース中間部（６）に、回転するように又は平行移動するようにマウントされる
ことを特徴とする請求項１〜５のいずれかに記載の計時器（１）。
【請求項７】
前記カバー（８）の前記回転アーバー（９）は、前記カバー（８）が回転するようにマウントされており、
前記ベゼル（２）及びカバー（８）は、前記引っ込み位置と前記デプロイ位置の間で変位しているときに、時計回り又は反時計回りのいずれかの同じ向きに角度的に動く
ことを特徴とする請求項６に記載の計時器（１）。
【請求項８】
前記カバー（８）が前記引っ込み位置にあるときに前記アクチュエートメンバー（１２）をロックする手段を有する
ことを特徴とする請求項１〜７のいずれかに記載の計時器（１）。
【請求項９】
前記肩部（１１）は、前記カバー（８）がデプロイ位置にあるときに、前記肩部（１１）の一端が前記リム（５）よりも前記ケース中間部（６）の中心に近いように、前記ベゼル（２）に対して傾いているように構成している
ことを特徴とする請求項１〜８のいずれかに記載の計時器（１）。
【請求項１０】
前記肩部（１１）は、セラミックス材料で作られている
ことを特徴とする請求項１〜９のいずれかに記載の計時器（１）。
【請求項１１】
時計回りの方向及び反時計回りの方向において前記ベゼル（２）の角変位を制限する手段を有する
ことを特徴とする請求項１〜１０のいずれかに記載の計時器（１）。
【請求項１２】
前記アクチュエートメンバー（１２）は、一端が前記カバー（８）に連結しており他端が止め（１４）と一体化されているようなステム（１５）を有し、
前記カバー（８）が前記デプロイ位置となっているときに、前記ケース中間部（６）の外側の方への前記カバー（８）の最大のトラベルは、前記カバー（８）がマウントされる前記ケース中間部（６）にある凹部の側面に当接する前記回転アーバー（９）の側の前記カバー（８）の外側壁によって制限されている
ことを特徴とする請求項１〜１１のいずれかに記載の計時器（１）。
【請求項１３】
前記アクチュエートメンバー（１２）は、前記ステム（１５）を囲む固定された管状体（１６）を有し、この管状体（１６）によって、ユーザーが前記カバー（８）をアクチュエートしているときに、前記ケース中間部（６）内の前記カバー（８）の最大のトラベルを制限することが可能となっている
ことを特徴とする請求項１２に記載の計時器（１）。
【請求項１４】
複数のカバー（８）を有し、前記ベゼル（２）は、前記ベゼルの周部に間隔を置いて配置された複数のリム（５）を有する
ことを特徴とする請求項１〜１３のいずれかに記載の計時器（１）。
【請求項１５】
２つのカバー（８）を有し、これらのカバー（８）は、当該計時器（１）の３時の位置に対して＋２８°の位置と−２８°の位置に配置されており、３０°のオーダーの前記ベゼル（２）の角変位によって、前記引っ込み位置と前記デプロイ位置の間の前記カバー（８）の変位が行われる
ことを特徴とする請求項１〜１４のいずれかに記載の計時器（１）。
【発明の詳細な説明】
【技術分野】
【０００１】
本発明は、動作していないときに、アクチュエートメンバー、特に、クロノグラフプッシャー、を引っ込ませる機構を備える計時器に関する。
【背景技術】
【０００２】
腕時計クロノグラフの不注意なアクティベート及びプッシャーのような関連する制御メンバーに対する損傷を避けるために、ユーザーが用いていないときに制御メンバーをカバーすることは望ましい。この目的のために、様々なシステムが提案されている。スイス特許ＣＨ５６７３００に記載されているように、回転するベゼルと一体化されているカバーがあり、ベゼルには支え面があり、この支え面は、ベゼルの角度位置に依存して、プッシャーをカバーしたりカバーしなかったりする。これらのシステムの課題は、かさばり、そして、魅力に欠けるということである。また、欧州特許ＥＰ１５８２９４５に記載されているような引っ込ませることができるプッシャーを備えたシステムが存在している。このシステムにおいて、退避位置とデプロイ位置の間のプッシャーの変位が、ベゼルと一体化された壁の角変位と関連している。この発明において、壁は、プッシャーに対向しているときには、プッシャーをカバーしケース内部の方に圧縮し、逆に、壁がプッシャーに対向していないときには、外側の位置にプッシャーを解放して、使用の準備ができているようにする。このシステムの課題は、ほこりがあるときに大きくなる摩擦が、ベゼルの回転運動時にプッシャーの外面とベゼル壁の間で絶えず発生することである。時間が経過するにしたがって、プッシャーがデプロイ位置にあるときに、ユーザーが見ることができるプッシャーの一部に見せたくない溝が現われる。
【発明の概要】
【発明が解決しようとする課題】
【０００３】
本発明は、プッシャーの可視の外面と引っ込み時にプッシャーと連係する部分との間の相対的運動をいずれも必要としない引っ込み機構を備える計時器を作ることによって、最先端技術の課題を克服することを目的とする。
【課題を解決するための手段】
【０００４】
このために、請求項１に記載の計時器を提案しており、従属請求項に特定の実施形態を記載している。
【０００５】
図面を参照しながら以下の詳細な説明を読むことによって、本発明の特徴及び利点を理解することができるであろう。
【図面の簡単な説明】
【０００６】
【図１】本発明に係る引っ込んだプッシャーを備えた腕時計についての斜視図である。
【図２】図１の腕時計の平面図である。
【図３】図１の腕時計の半分の断面図である。
【図４】図２の軸Ａ−Ａの断面図である。
【図５】図２の軸Ｂ−Ｂの断面図である。
【図６】本発明に係るデプロイされたプッシャーを備えた腕時計についての斜視図である。
【図７】図６の腕時計の平面図である。
【図８】図６の腕時計の半分の断面図である。
【図９】図７の軸Ａ−Ａの断面図である。
【図１０】図７の軸Ｂ−Ｂの断面図である。
【図１１】本発明に係る、動作している、すなわち、必要な機能を開始するようにユーザーによってアクチュエートされた、プッシャーを備えた腕時計についての平面図である。
【図１２】図１１の腕時計の半分の断面図である。
【図１３】図１１の軸Ａ−Ａの断面図である。
【図１４】図１１の軸Ｂ−Ｂの断面図である。
【図１５】本発明のプッシャーのカバーの側面図である。
【図１６】本発明のプッシャーのカバーの斜視図である。
【図１７】本発明に係るプッシャーの斜視図である。
【発明を実施するための形態】
【０００７】
本発明は、クロノグラフ機能のような機能をアクチュエートさせるように意図された一又は複数のプッシャーを備える腕時計タイプの計時器に関する。本発明によると、腕時計は、プッシャーが動作していないときにプッシャーを引っ込める手段を備える。
【０００８】
とりわけ図１及び２に示した腕時計１は、伝統的な手法でケース中間部６に回転可能にマウントされた双方向に回転するベゼル２を有する。図示した例において、ベゼル２は、ケース中間部の円筒状の外側支え面６ａに取り付けられた円筒状の内側支え面２ａを有し、これによって、ベゼルがケース中間部６上で回転ガイドされることを確実にする（図４を参照）。ケース中間部に対するベゼル２の軸方向の保持は、ハウジングＬ内に配置されたリング３によって確実にされる。このハウジングＬは、ベゼルがケース中間部上の適所にあるときに、ベゼルの円筒状の内側支え面２ａ内、及びケース中間部の円筒状の外側支え面６ａ内に部分的に形成されている。正確には、ハウジングＬは、互いに対向している、ベゼルの円筒状の内側支え面に形成された環状の半径方向溝、及びケース中間部の円筒状の外側支え面に形成された環状の半径方向溝によって形成されており、前記リングがこのハウジング内にてマウントされ、これによって、前記リングが、マウントされた位置において、ベゼル溝とケース中間部の溝内に延在する。ケース中間部６は、その上側周部面に目盛を有する。例えば、固定されたタキメーター目盛である。機能を開始させるためのアクチュエートメンバーは、プッシャー１２を保護するカバー８を有する。これについては図１７に詳細に示した。プッシャー１２は、伝統的な形態で、ステム１５の一端に固定されたアクチュエート用頭部１２ａを有し、このステム１５は、平行移動するようにガイドされ、管状体１６内のばね１３によって戻され、シーリングされた形態でケース中間部６にねじ込まれる。とりわけ図４及び５に示すように、ケース中間部内にて延在しているステム１５の反対側の端は、プッシャー１２に関連づけられた機能を制御するメンバー４と連係するように意図されている。
【０００９】
本発明によると、カバー８は可動にマウントされており、ケース中間部６の外側のデプロイ位置と、ケース中間部６内の引っ込み位置と、及び同様にケース中間部内であるが引っ込み位置よりもケース中間部内のトラベルが大きい動作位置とになることができる。図１〜１６に示すように、カバー８を回転するようにマウントすることができる。別の実施形態（図示せず）によれば、カバー８をケース中間部に対して平行移動するようにマウントすることができる。
【００１０】
図示した例において、カバー８を、ケース中間部６と一体化されたアーバー９のまわりに回転するようにマウントする。好ましくは、カバー８は、ケース中間部における凹部内に延在している。図１〜５に示す第１の位置は、引っ込み位置であり、この引っ込み位置においては、審美的な理由とひっかかりを避けるために、カバー８が凹部内に収容され、カバー８の上側面がケース中間部６の外面とフラッシュ状態（同じ高さ）であるようになっている。第２の位置は、デプロイ位置であり、このデプロイ位置においては、カバー８が自由に動くことができ、ケース中間部６（図６〜１０）の外側の方に回転している。このデプロイ位置の後に、動作位置となる。この動作位置においては、ユーザーによるアクチュエートの後に、カバー８がケース中間部６の内側の方に回転して、関連づけられた機能を開始させる（図１１〜１４）。
【００１１】
本発明によると、引っ込み位置とデプロイ位置の間のカバーの変位は、ベゼル２の角変位に連結している。下で説明するように、カバー８とベゼル２は、これらの２つの部品の間の連係を確実にする特定の輪郭を有する。
【００１２】
図１５及び１６に詳細に示したカバー８においては、ユーザーの指によってアクチュエートすることができる支え面１０が上部にある。カバー８には、側面に、支え面１０とは異なる肩部１１がある。この肩部１１は、ベゼル２が回転しているときにベゼル２と連係するガイド面を形成している。このガイド面は、好ましくは、円弧状の輪郭を有する。このために、ベゼル２は、その周部の一部において、リム５を定める裾部を有する。このリム５は、腕時計の裏蓋の方に出っ張っており、様々なカバーのガイド面上を動く（図３〜５）。ベゼル周部に間隔を置いて配置されるこれらの円弧状のリム５は、ケース中間部６の外側面のまわりにあるケース中間部のホーン７よりも上の部分に延在している。
【００１３】
リム５は、図３に示すように、ニュートラルなベゼル位置において、リム５が肩部１１と連係するようにカバー８と対向するように、ベゼルの周部に接するように配置される。この構成において、カバー８はそれぞれ、その肩部１１に接するように存在するリム５によって引っ込み位置に保持される。リムの長さ及びリムの間のギャップの関数である所与の角度をベゼルが回転すると、図８に示すようにリムがカバー８に接しなくなる。結果的に、プッシャー１２のばね１３の影響の下で、カバー８は、ケース中間部６の外側の方に回転する（図８〜１０）。図８に示すように、カバー８の最大の外側方向のトラベルは、回転アーバー９の側のカバー８の外側壁によって制限されており、この外側壁は、カバー８がマウントされているケース中間部６の凹部の側面に当接している。このようにして、カバーは、デプロイ位置となり、ユーザーがアクチュエートすることができるようになる。ユーザーがアクチュエートすると、ケース中間部６の内側の方にカバー８が回転する。この際の最大のトラベルは、ステム１５を包囲する固定された管状体１６に当接するプッシャー１２の変位によって制限される（図１１〜１４）。
【００１４】
肩部１１にはそれぞれ、カバー８が図８のデプロイ位置から図３の引っ込み位置へと切り替わるときに肩部に対するリムの係合を促進するように構成しているようなガイド面がある。この係合を促進するために、カバー８がデプロイ位置にあるときに肩部１１はベゼル２に対して傾いていなければならない。この傾いた構成は、図８に示すように回転によって発生させることができ、又は平行移動するようにマウントされたカバーの場合には、カバー内にて必要な傾きを有する肩部１１を設けることによって得ることができる。
【００１５】
好ましくは、カバー８が引っ込み位置にあるときにユーザーが支え面を押しても制御メンバーをアクチュエートさせることができないように、ロック手段を設ける。ロック手段（図示せず）は、ベゼル又はケース中間部と一体化された止めを有することができ、これによって、ケース中間部の内側にてカバーのトラベルを制限する。また、カバーの引っ込み位置とデプロイ位置に対応する所定の角度位置の間を逸脱してベゼルが自由に動くことを防ぐために、腕時計は、ばねに乗せられたボールのような既知の種類のロック手段を備える。腕時計は、さらに、ベゼルの角変位を制限して、デプロイされているときにベゼルが間違った方向に回転したり、カバーやリムを損傷させたりすることを防ぐ。例えば、ロック手段は、ベゼルと連係するケース中間部にマウントされた止めであることができる。
【００１６】
例として、３時の位置に対して＋２８°の位置と−２８°の位置にアーバーが配置された２つのプッシャーを有し、ベゼルの３０°の角変位によってプッシャーの位置が変わるような腕時計に基づいて本発明を説明してきた。しかし、他の構成も本発明によってカバーされることは明白である。同様に、図示した例においては、ベゼルが反時計回りに回転しているときに、カバーは、同時に反時計回りの方向にケース中間部の外側の方に回転する。反対に、回転アーバーは、ベゼルが時計回りに回転しているときにカバーが時計回りの方向に動いてデプロイ位置となるように構成していることができる。
【００１７】
最後に、プッシャーカバー８に関して、肩部をカバー内に配置したり、図１６に示すように伝統的なプッシャーカバーに構成要素を付加することによって肩部を形成したりすることができる。したがって、カバーとプッシャーは、図示した例におけるように２つの異なる部品を形成することができ、あるいは、特に、カバーが平行移動するようにマウントされておりプッシャーとカバーが平行移動するように一緒に動くことができるような実施形態において、単一の要素を形成することができる。
【００１８】
本発明の利点
本発明に係る引っ込み機構の結果、ベゼル２が角変位してもキャップ８の支え面に摩擦が発生しない。肩部のみがベゼルと連係し引っ掻かれることが多くなるが、プッシャーが引っ込んでいるときにこの肩部をケース中間部の外側から見ることはできない。また、プッシャーカバーは、プッシャーの使用によって過剰摩耗が発生しない。したがって、単に、肩部を形成する部品のみを耐磨耗性の材料で作ることができる。この耐磨耗性の材料は、例えば、セラミックス、又は同様な耐摩耗性を有する他の材料であることができる。
【００１９】
上記の例において、ユーザーは直接手動でベゼルを回転させてアクチュエートさせるが、図示していない変種においては、プッシャー／レバータイプの機構、又は歯車などを介してベゼルに運動学的に接続されたノブ機構によって、ベゼルを回転させることもできることは明らかである。
【符号の説明】
【００２０】
１  計時器（特に、腕時計）
２  ベゼル
２ａ  ベゼルの円筒状の内側支え面
３  リング
４  アクチュエートする機能を制御するメンバー
５  ベゼルリム
６  ケース中間部
６ａ  ケース中間部の円筒状の外側支え面
７  ケースバンド用のホーン
８  プッシャーカバー
９  カバーの回転アーバー
１０  カバーの支え面
１１  カバーの肩部（ガイド面とも呼ばれる）
１２  プッシャー（アクチュエートメンバーとも呼ばれる）
１２ａ  プッシャーのアクチュエート用頭部
１３  プッシャーばね
１４  止め（具体的には、プッシャーのナット）
１５  プッシャーステム
１６  管状体
Ｌ  ハウジング
【図１】
2018025550.tif 000003
【図２】
2018025550.tif 000004
【図３】
2018025550.tif 000005
【図４】
2018025550.tif 000006
【図５】
2018025550.tif 000007
【図６】
2018025550.tif 000008
【図７】
2018025550.tif 000009
【図８】
2018025550.tif 000010
【図９】
2018025550.tif 000011
【図１０】
2018025550.tif 000012
【図１１】
2018025550.tif 000013
【図１２】
2018025550.tif 000014
【図１３】
2018025550.tif 000015
【図１４】
2018025550.tif 000016
【図１５】
2018025550.tif 000017
【図１６】
2018025550.tif 000018
【図１７】
2018025550.tif 000019